(57)【要約】【課題】  体育館などの室内競技場における耐震床構造に関し、耐震性に優れるとともに床の緩衝特性を損なわない室内競技場耐震床構造を提供することを課題とする。【解決手段】  基礎面２に並設される床支持脚４のうち特定の床支持脚４と基礎面２との間に、大引材６の下部に弾性部材２２が装着支持された上記床支持脚４の受け具２０の下部に固定される上部固定部材５２と、上記基礎面２上であって上記大引材６の長尺方向と同方向又は直交する方向の所定位置に固定される下部固定部材５６と、上記両固定部材５２，５６同士を連結する伸縮可能なバックル部材５４とを有するブレースユニット８を取り付けた構成である。【選択図】  図１
2008214916.tif 000002
【特許請求の範囲】
【請求項１】
基礎面に並設される床支持脚のうち特定の床支持脚と基礎面との間に、
大引材の下部に弾性部材が装着支持された上記床支持脚の受け具の下部に固定される上部固定部材と、上記基礎面上であって上記大引材の長尺方向と同方向又は直交する方向の所定位置に固定される下部固定部材と、上記両固定部材同士を連結する伸縮可能なバックル部材とを有するブレースユニットを取り付けたことを特徴とする室内競技場耐震床構造。
【発明の詳細な説明】
【技術分野】
【０００１】
本発明は、体育館などの室内競技場における耐震床構造に関する。
【背景技術】
【０００２】
従来、大引材などが配設される床構造を補強するため、特許文献１に示す斜材が用いられていた。これは図６に示すように、高床式二重床の支持構造に関するものであり、床スラブ８１に列設された束柱８２、各束柱８２の上部に設置された大引８３及び根太８４、各大引８３間に設けられ、一端を前記束柱８２の下部に着脱可能に連結され、他端を前記大引８３の各束柱８２で仕切られる区間の中央下部に固定用ブラケット８５により着脱可能に連結される一対の斜材８０（ブレース）により結合された構造である。
【０００３】
また、特許文献２には、束石に一対の脚体を支持脚としてＶ字状に開脚し、各々の遊端部を大引に固着した大引支持装置が開示されている。特許文献３には、耐震ブレースを用いた床構造が開示され、特許文献４には、大引に対して自由な向きに設置できる床ブレースが示されている。また従来においては、床構造の強度を高めるためには、各現場においてバー材、軽量アングルを床支持脚に連結固定して下地の連結性を高めるなどの対応とられていた。
【０００４】
【特許文献１】特開平８−１６５７８６号公報
【特許文献２】実公昭５６−５００３８号公報
【特許文献３】実公平３−７７３４５号公報
【特許文献４】特許第３６３４６５３号公報
【発明の開示】
【発明が解決しようとする課題】
【０００５】
しかし、上記従来のブレースは、スラブ面から大引にかけて連結する形態であるため、大引を直接ブレースで固定することになり、体育館など大引が弾性支持されている床構造には不都合である。また、昨今の自然災害時の避難場所として体育館などの室内競技場が用いられる等、体育館の多様化のニーズは高まっており、この場合、特に避難場所としての耐震強度は設計時における重要な要件であり確立した耐震仕様が望まれている。
【０００６】
このように上記従来の床下地の補強構造は、補強部材を直接大引材に係着して大引材の固定を強固にするものであり、また従来は、特に確立した床構造の耐震仕様がなく、個々の現場対応にとどまっているのが実情である。一方、体育館は、運動施設として床には適度の緩衝特性が要求されているため、大引材を弾性支持する床構造が採用されているが、この場合大引材を直接補強部材で補強すると、上記弾性支持の効果が減退して好ましくないという問題がある。
【０００７】
本発明は上記問題点を解決するためになされたものであり、耐震性に優れるとともに床の緩衝特性を損なわない室内競技場耐震床構造を提供することを目的とする。
【課題を解決するための手段】
【０００８】
以上の技術的課題を解決するため、本発明に係る室内競技場耐震床構造は、図１に示すように、基礎面２に並設される床支持脚４のうち特定の床支持脚４と基礎面２との間に、大引材６の下部に弾性部材２２が装着支持された上記床支持脚４の受け具２０の下部に固定される上部固定部材５２と、上記基礎面２上であって上記大引材６の長尺方向と同方向又は直交する方向の所定位置に固定される下部固定部材５６と、上記両固定部材５２，５６同士を連結する伸縮可能なバックル部材５４とを有するブレースユニット８を取り付けた構成である。
【発明の効果】
【０００９】
本発明に係る室内競技場耐震床構造によれば、床支持脚と基礎面との間に、弾性部材が装着支持された受け具の下部に固定される上部固定部材、基礎面上に固定される下部固定部材及び両固定部材同士を連結するバックル部材を有するブレースユニットを取り付けた構成としたから、床支持脚の設置固定が強固に行われて地震などの振動に対する耐震強度が確保され、またブレースユニットは大引材を直接支持しないから、受け具に弾性支持された大引材に対する弾性支持の機能が有効に発揮され、床上のスポーツ運動などの衝撃に対して良好な緩衝特性が得られるという効果を奏する。
【発明を実施するための最良の形態】
【００１０】
以下、本発明の実施の形態を図面に基づいて説明する。
この実施の形態に係る室内競技場の耐震床構造は、図１，２に示すように、主に体育館等の高床式二重床の床構造に用いられる。
【００１１】
上記耐震床構造は、基礎面としての床スラブ２に併設される床支持脚４、これら床支持脚４間に架設される大引材６、及びブレースユニット８を有する。上記ブレースユニット８は、特定の上記床支持脚４に取り付けられる。上記大引材６の上部には根太材１０が配置され、さらに床板が敷設される。
【００１２】
上記床支持脚４は、筒状の支持台１４、この支持台１４の上部に取り付けられる連結部材１６、この連結部材１６に立設される支持ボルト１８、及び支持ボルト１８の上部に固定される受け具２０、弾性部材２２及びボルトとナットからなる締結具２４を有する。上記支持台１４は、鋼製の断面円形の筒体からなり下端部には平板状の台座部２５が設けられている。
【００１３】
図２に示すように、上記連結部材１６は、円形筒状の嵌合部２６の上部に断面台形状の取付部２８が設けられ、この取付部２８の上面部の中央には保持孔部３０が形成されている。この連結部材１６は、支持台１４の上端部に上記嵌合部２６を嵌合させ、ビス２７を用いて固定する。上記支持ボルト１８は、下部ナット３３、ワッシャ３４及び締結ナット３６を用いてその下部近傍を上記連結部材１６の保持孔部３０に固定する。
【００１４】
上記受け具２０は、中央に形成された平坦な受板部４０、この受板部４０の左右部位からそれぞれ上方に立設された側面部４２，４２、及び上記受板部４０の前後部位から上方に立設形成された規制部４４，４４を有する断面略Ｕ字状の部材である。上記側面部４２の上部近傍には締結具２４を取り付けるための取付孔４５が設けられている。この受け具２０は、鋼板をプレス加工により屈曲成形したものである。上記規制部４４，４４の両端部は、側面部４２，４２の端面部に溶着されている。
【００１５】
上記弾性部材２２は、底板部４６及び側板部４８，４８からなる断面Ｕ字形状の部材である。この弾性部材２２は、ゴム或いは合成樹脂等の弾性体からなる。この弾性部材２２は、底板部４６が上記受け具２０の受板部４０に載置されるとともに、側板部４８，４８がそれぞれ受け具２０の側面部４２，４２に内接した状態で装着（接着）されている。
【００１６】
図３（ａ）（ｂ）は、上記ブレースユニット８を取り付ける上記特定の床支持脚４の受け具２０を示したものである。この受け具２０は、受板部４０の中央部にバーリング加工により下方に筒状に突出する突孔部４１が形成されている。また、この突孔部４１の内側には上記支持ボルト１８が螺合可能な螺子溝４３が刻設されている。
【００１７】
上記ブレースユニット８は鋼材からなり、上記床支持脚４の受け具２０の下部に取り付けられる断面Ｌ字のアングル状の上部固定部材５２、この上部固定部材５２に一端部が回動可能に取り付けられるターンバックル５４、及び床スラブ２に固定され上記ターンバックル５４の他端部が回動可能に取り付けられる断面Ｌ字状の下部固定部材５６を有する。
【００１８】
上記上部固定部材５２は、上板部６１と側板部６０からなり、この上板部６１の中央には孔部６３が設けられ、側板部６０には左右の部位にそれぞれボルト孔６２が設けられている。上記下部固定部材５６は、下板部６４と側板部６６からなり、この下板部６４の左右の部位にそれぞれボルト孔６７が設けられ、側板部６６は端部が斜めに切り欠かれその内側の部位にはボルト孔６８が設けられている。
【００１９】
上記ターンバックル５４は、所定の長さのボルト軸７０と、このボルト軸７０の各端部にそれぞれ螺着された羽子板部７２，７３とからなり、ボルト軸７０の回転により伸縮自在であり長さ調整が可能な締め具である。上記ボルト軸７０は、棒状体の一端部には右螺子がまた他端部には左螺子がそれぞれ刻設されている。
【００２０】
上記羽子板部７２，７３は、それぞれ中空部７４を有する長円状の枠体７５からなる部材であり、一端部には長尺方向に貫通して中空部７４に至る螺孔７６が設けられ、他端部側は扁平形状の部位にボルト孔７８が設けられている。上記羽子板部７２，７３の各螺孔７６は、上記ボルト軸７０の各端部とそれぞれ螺合する。
【００２１】
上記ブレースユニット８は、上記特定の床支持脚４に取り付けられる。図４に示すように、上記受け具２０の受板部４０の裏面部に、上記上部固定部材５２が取り付けられる。この場合、上部固定部材５２の上板部６１に設けた孔部６３に上記受板部４０に設けた突孔部４１を嵌入させ、同時に上記支持ボルト１８の上端部を突孔部４１に螺入し、ワッシャ３４を介在させて締結ナット３６を用いて上部固定部材５２及び受け具２０を固定する。このとき、支持ボルト１８が受け具２０の受板部４０の表面から突き出ないようにする。
【００２２】
上記図４に示す上部固定部材５２の取り付け形態は、床支持脚４に載置される大引材６の長尺方向に対して、これと直交する方向に上記ブレースユニット８の配置方向（床支持脚の設置位置に対する下部固定部材の設置方向）を定める形態である。このブレースユニット８の取り付け形態による床支持脚４の補強により、大引材６がその長尺方向と直交する向きに揺れる振動を有効に防止する。
【００２３】
図５に示す上部固定部材５２の取り付け形態は、床支持脚４に載置される大引材６の長尺方向に対して、同方向に上記ブレースユニット８の配置方向を定める形態である。このブレースユニット８の取り付け形態では、大引材６がその長尺方向と同方向（平行）に揺れる振動を有効に防止する。
【００２４】
上記ブレースユニット８を取り付けない床支持脚４は、上記受け具２０の受板部４０の中央に円形の孔部が設けられており、この受板部４０の裏面部に、上記孔部と孔同士が貫通する状態で六角のナット体３１が溶接により固定されている。そして、上記支持ボルト１８の上端部を上記ナット体３１に螺入し、ワッシャ３４を介在させ締結ナット３６を用いて受け具２０を支持ボルト１８に固定する。
【００２５】
上記大引材６は、上面板部、側面板部及びこれら側面板部からそれぞれ内向きに屈曲形成された底片部からなる断面Ｃ字形状の鋼材である。これら底片部同士の間には、所定の間隔の開口部が形成されている。上記根太材１０は、上面部、側面部及びこれら側面部からそれぞれ外向きに屈曲形成されたフランジ部からなる断面ハット状の鋼材である。
【００２６】
さて、上記耐震床構造の施工に際しては、床の基礎面２に上記床支持脚４を所定の間隔で配置する。そして、床支持脚４の支持台１４の台座部２５を止着ピン或いは接着剤などを用いて床スラブ２に固定し、併せて各床支持脚４の高さ調整を行う。
【００２７】
ここで、床構造の補強を行う箇所の特定の床支持脚４について、上記ブレースユニット８を取り付ける。この特定の床支持脚４は、当該床支持脚４を補強して床構造の耐震強度を高めるために必要なものが選ばれる。この床支持脚４については、その設置位置から所定間隔隔てた左右の各位置に上記下部固定部材５６を固定する。このとき、基礎面２の該当位置にアンカーボルト５３を２本並べて埋設固定し、各アンカーボルト５３に下部固定部材５６のボルト孔６７を挿通し、ナット５７により下部固定部材５６を締結固定する。
【００２８】
一方、上記特定の床支持脚４には、上記上部固定部材５２が取り付けられており、この上部固定部材５２と上記基礎面２に固定した下部固定部材５６との間に上記ターンバックル５４を配置する。そして、ターンバックル５４を必要な長さに調整するとともに、ボルト５８、ナット５９を用いて、両端部の羽子板部７２，７３をそれぞれ上記上部固定部材５２と下部固定部材５６に取り付ける。
【００２９】
このとき、両端部の羽子板部７２，７３の各ボルト孔７８をそれぞれ上記上部固定部材５２のボルト孔６２と下部固定部材５６のボルト孔６８とを合わせてボルト５８、ナット５９により止着する。他方側のターンバックル５４についても、同様にして取り付ける。そして、必要に応じてターンバックル５４をぴんと張った状態に締め付け調整する。これを左右の両バックル部材５４について行う。
【００３０】
上記ブレースユニット８は、床支持脚４とターンバックル５４との間に形成されるトラス構造により支持強度が安定し、かつ床支持脚４の耐震強度を補強する。また、ターンバックル５４の上端部は、床支持脚４の上端部近傍を支点としているため、効果的なトラス構造が形成できて補強が強固に行える。
【００３１】
このように上記ターンバックル５４は、支点としての上部固定部材５２に対して回動角度自在に、また下部固定部材５６に対しても回動角度自在に取り付けることができる。このため、上記床支持脚４の垂直な軸方向に対する、ターンバックル５４の支持角度（α）は自在に設定することができる。ここでは、上記支持角度（α）を最適な角度である４５°としている。また、上記床支持脚４にはブレースユニット８が取り付けられているが、この床支持脚４の弾性部材２２に弾性支持された大引材６の弾性特性は、ブレースユニット８により何ら影響を受けることはない。
【００３２】
上記実施の形態では、一つの床支持脚４に対して左右側にそれぞれブレースユニット８を取り付けた形態（２個使用）であるが、これは左側のみ或いは右側のみにブレースユニット８を取り付けた形態（１個使用）であっても良い。上記ブレースユニット８の取り付けに際しては、床支持脚４の予想される揺れ（振動）の方向などを考慮して配置方向及び個数を定める。
【００３３】
そして各床支持脚４間に大引材６を架設し、この大引材６の両底片部を下にして受け具２０内の弾性部材２２の底板部４６に載置する。上記大引材６を配置した後、受け具２０の側面部４２，４２に設けた取付孔４５，４５間に、締結具２４としてのボルトを挿通しナットを締めて側面部４２，４２同士を所定の押圧力で挟み、大引材６を受け具２０に狭持固定する。このとき、受け具２０と大引材６との間には弾性部材２２が介在して大引材６を弾性保持する。そして、大引材６の上部には、大引材６と直交する方向に根太材１０を所定間隔をおいて配置し、これら根太材１０の上部に構造用板材及び床板を敷設して床を仕上げる。
【００３４】
上記床緩衝構造を施した床に荷重が加わった場合に、大引材６の底片部の押圧により弾性部材２２の底板部が弾性圧縮し、床上の運動者による衝撃を有効に緩和し緩衝する。また、床にフォークリフト、重量機材などの大重量の荷重が加わった過負荷時には、大引材６からの押圧により弾性部材２２の底板部４６が大きく弾性圧縮し、大引材６は受け具２０の規制部４４，４４に当接した状態となっている。このため、高剛性の床緩衝構造が形成され優れた耐荷重性能を発揮する。
【００３５】
したがって上記実施の形態に係る室内競技場の耐震床構造によれば、床支持脚の設置固定が強固に行われて地震などの振動に対する耐震強度が確保され、併せて大引材の弾性支持による床の弾性作用により、スポーツ運動などにおける衝撃に対する良好な緩衝効果を有し、また展示会やコンサート等のイベント開催時にフォークリフト等の重量物がフロアを移動等するときは、大引材は受け具で強固に支持され高剛性のフロアが構築される。
【００３６】
また上記実施の形態に係るブレースユニットによれば、体育館の本来必要な運動性能（緩衝特性）に影響を与えることなく、効果的でバランスの良い耐震補強が可能となる。また、ブレースユニットには特殊な部品を使用していないため、既製品の使用が可能となってローコスト化が図れ、併せて多くの品揃えにより多種多様な形態などの要求に対応することが可能となり、また改修に際しても適切に対応できるという効果がある。
【図面の簡単な説明】
【００３７】
【図１】本発明の実施の形態に係る室内競技場耐震床構造を示す図である。
【図２】実施の形態に係るブレースユニットを示す図である。
【図３】実施の形態に係る床支持脚の受け具を示す図であり、（ａ）は側面図、（ｂ）はＡ−Ａ断面図である。
【図４】実施の形態に係り、床支持脚に上部固定部材を取付けた一の形態を示す図である。
【図５】実施の形態に係り、床支持脚に上部固定部材を取付けた他の形態を示す図である。
【図６】従来例に係る高床式二重床の支持構造を示す図である。
【符号の説明】
【００３８】
２  基礎面（床スラブ）
４  床支持脚
６  大引材
８  ブレースユニット
２０  受け具
２２  弾性部材
５２  上部固定部材
５４  バックル部材（ターンバックル）
５６  下部固定部材
【図１】
2008214916.tif 000003
【図２】
2008214916.tif 000004
【図３】
2008214916.tif 000005
【図４】
2008214916.tif 000006
【図５】
2008214916.tif 000007
【図６】
2008214916.tif 000008